(57)【要約】【課題】インプラントの埋入時から、インプラント周囲の海綿骨と多様な結合形態を呈することで、十分な緩衝機能を発揮し、垂直的咬合力及び水平的咬合力に対する応力分散機能や支持機能をも得られるインプラントを提供する。【解決手段】インプラントの側周面近傍を鉛直方向に貫通する挿通孔と、挿通孔からインプラントの側面まで貫通する延出孔と、が形成されており、挿通孔には、ワイヤーの幹線が挿通され、延出孔からは、ワイヤーの幹線から分岐する枝線が延出していることで、歯槽骨にインプラントを埋入した際、枝線がインプラント周囲の海綿骨を穿通し、海綿骨に保持されることを特徴とする歯科用インプラントである。【選択図】  図１
2015188722.tif 000002
【特許請求の範囲】
【請求項１】
インプラントの側周面近傍を鉛直方向に貫通する挿通孔と、
挿通孔からインプラントの側面まで貫通する延出孔と、
が形成されており、
挿通孔には、ワイヤーの幹線が挿通され、
延出孔からは、ワイヤーの幹線から分岐する枝線が延出していることで、
歯槽骨に埋入した際、
枝線がインプラント周囲の海綿骨を穿通し、
海綿骨に保持される
ことを特徴とする歯科用インプラント。
【請求項２】
インプラントの側周面近傍を鉛直方向に貫通する挿通孔と、
挿通孔からインプラントの側面まで貫通する延出孔と、
が形成されており、
挿通孔には、ワイヤーの幹線が挿通され、
延出孔からは、ワイヤーの幹線から分岐する波状の枝線が延出していることで、
歯槽骨に埋入した際、
波状の枝線がインプラント周囲の海綿骨を穿通し、
海綿骨に保持される
ことを特徴とする歯科用インプラント。
【請求項３】
インプラントの側周面近傍を鉛直方向に貫通する挿通孔と、
挿通孔からインプラントの側面まで貫通する延出孔と、
延出孔を覆う形状の、挿通孔に沿って上方が開口したフードと、
が形成されており、
挿通孔には、ワイヤーの幹線が挿通され、
延出孔からは、ワイヤーの幹線から分岐する枝線が延出し、
延出した枝線がフードに覆われていることで、
歯槽骨に埋入したのち、ワイヤーの幹線を上方に引き上げることで、
枝線がフードの開口部分から突出してインプラント周囲の海綿骨を穿通し、
海綿骨に保持される
ことを特徴とする歯科用インプラント。
【請求項４】
インプラントの側周面近傍を鉛直方向に貫通する挿通孔と、
挿通孔からインプラントの側面まで貫通する延出孔と、
延出孔を覆う形状の、挿通孔に沿って上方が開口したフードと、
が形成されており、
挿通孔には、ワイヤーの幹線が挿通され、
延出孔からは、ワイヤーの幹線から分岐する波状の枝線が延出し、
延出した波状の枝線がフードに覆われていることで、
歯槽骨に埋入したのち、ワイヤーの幹線を上方に引き上げることで、
波状の枝線がフードの開口部分から突出してインプラント周囲の海綿骨を穿通し、
海綿骨に保持される
ことを特徴とする歯科用インプラント。
【請求項５】
前記の挿通孔は、
インプラントの側周面近傍を螺旋状に貫通する挿通孔である
ことを特徴とする請求項１乃至４のいずれかに記載の歯科用インプラント。
【請求項６】
インプラントの側周面に溝が鉛直方向に形成され、
溝に沿って、枝線が分岐したワイヤーの幹線が配されており、
幹線から分岐した枝線が溝から延出していることで、
歯槽骨に埋入した際、
枝線がインプラント周囲の海綿骨を穿通し、
海綿骨に保持される
ことを特徴とする歯科用インプラント。
【請求項７】
インプラントの側周面に溝が鉛直方向に形成され、
溝に沿って、波状の枝線が分岐したワイヤーの幹線が配されており、
幹線から分岐した波状の枝線が溝から延出していることで、
歯槽骨に埋入した際、
波状の枝線がインプラント周囲の海綿骨を穿通し、
海綿骨に保持される
ことを特徴とする歯科用インプラント。
【請求項８】
インプラントの側周面に溝が鉛直方向に形成され、、
溝に沿って、枝線が分岐したワイヤーの幹線が配され、
溝に沿って、溝から延出する枝線を覆う形状の、溝に沿って上方が開口したフードが設けられており、
溝から延出する枝線がフードに覆われていることで、
歯槽骨に埋入したのち、ワイヤーを上方に引き上げることで、
枝線がフードの開口部分から突出してインプラント周囲の海綿骨を穿通し、
海綿骨に保持される
ことを特徴とする歯科用インプラント。
【請求項９】
インプラントの側周面に溝が鉛直方向に形成され、
溝に沿って、波状の枝線が分岐したワイヤーの幹線が配され、
溝に沿って、溝から延出する枝線を覆う形状の、溝に沿って上方が開口したフードが設けられており、
溝から延出する波状の枝線がフードに覆われていることで、
歯槽骨に埋入したのち、ワイヤーを上方に引き上げることで、
波状の枝線がフードの開口部分から突出してインプラント周囲の海綿骨を穿通し、
海綿骨に保持される
ことを特徴とする歯科用インプラント。
【請求項１０】
前記の溝は、
インプラントの側周面に溝が螺旋状に形成された溝である
ことを特徴とする請求項６乃至９のいずれかに記載の歯科用インプラント。
【請求項１１】
前記のワイヤーの幹線から分岐する枝線は、先端が球状に形成されている
ことを特徴とする請求項１乃至１０のいずれかに記載の歯科用インプラント。
【発明の詳細な説明】
【技術分野】
【０００１】
本発明は、顎骨に埋入して人工歯冠を装着する歯科用インプラントに関する。
【背景技術】
【０００２】
従来から、歯根を欠損等した際に、インプラント（フィクスチャー）を顎骨（歯槽骨）に埋入し、これを土台として人工歯冠を装着する治療方法が知られている。
この治療方法に用いられるインプラントは、チタン製が主流であり、チタンは、極めて生体親和性の高い材料であるため、骨と直接結合する特徴を有する。
チタン製のインプラントを埋入する治療方法によれば、歯槽骨の骨密度の違い等によって個人差はあるものの、一般的には、インプラントを埋入する手術をしたのち、下顎では６週間〜３ヶ月、上顎では３〜９ヶ月で埋入したインプラントが骨と結合するといわれている。
インプラントと骨の結合は、インプラント表面の性状によって差が生じることが知られており、表面が滑らかなインプラントよりも、微少に表面が粗くなる加工を施したインプラントのほうが十分なオッセオインテグレーション（骨結合）を得られることから、インプラント表面にハイドロキシアパタイトをコーティングして骨の結合を強めるインプラントも作られている。
【０００３】
しかし、チタンは、骨と生化学的に結合した状態になることはないため、インプラントの表面に、単に骨が勘合している状態に近い。
そのため、インプラントが天然歯列中に植立されると、インプラントと骨との界面に咬合時の衝撃が直接伝わり、応力が集中しやすい。
つまり、人間の顎関節は、咬合時に三次元的に複雑な動きをするが、従来のインプラントは、インプラントの表面に骨が勘合しているだけの状態で、咬合力が緩衝されることがないため、対合歯から受ける咬合圧やその応力は、インプラント周囲の歯槽骨に集中してしまい、その結果、歯槽骨が破壊されるおそれがある。
これは、インプラントに、天然歯の歯根部周囲に存在するような歯根膜が存在しないことが原因として挙げられる。
【０００４】
歯根膜は、歯根と歯槽骨の間に存在し、歯槽骨に歯を植立する懸架組織であるが、この歯根膜が存在することで、歯が歯槽骨内で動揺して咬合圧を分散し、歯槽骨に加わる負担を軽減している。
しかし、従来のインプラントは、歯根膜を有する天然歯のような可動性がないことはもちろんのこと、埋入される骨組織に比べて硬過ぎるゆえに、長年使用し続けることで受ける咬合圧によって、歯槽骨に過度な荷重が伝播し、インプラント周囲の骨組織を破壊してしまう。
骨組織が破壊されると、インプラント表面にバクテリアが付着して、破壊された骨組織の再生が妨げられる結果、多くの場合、インプラントを抜去せざるを得ない。
そこで、咬合圧を分散して、骨組織を破壊することがないインプラントが求められている。
【０００５】
特許文献１には、チタン製歯科用インプラントに相応の緩衝機能を付与して支持機能を増大させる歯科用インプラントに係る発明が開示されている。
当該発明は、インプラントの埋入部をコアとするその外周にチタンもしくはチタン合金の細線材をアットランダムに多重に巻き掛けて重積したものを、コア方向に圧縮して所望の形状、寸法の圧縮成形体を形成させることで、インプラントに付加される外力を当該圧縮成形体によって適確に緩衝出来るため、咬合外力に対する違和感を払拭すると共に、成形体内に骨誘導を生起させて天然の骨構造による歯根の支台に出来き、長期にわたる安定性が保たれるという効果を奏する。
【先行技術文献】
【特許文献】
【０００６】
【特許文献１】特開平08-140996公報
【発明の概要】
【発明が解決しようとする課題】
【０００７】
しかし、上記発明は、インプラントの埋入部の外周にチタン製細線材を重積して圧縮成形体とし、当該成形体内への骨誘導を生起することを期待するものであるところ、前記したとおり、チタンは、骨と生化学的に結合した状態になることはない。
そのため、上記発明は、圧縮成形体の表面の凹みに入り込む程度の骨結合が見られるだけで、当該成形体内に十分な骨誘導が生起されることは期待できない。
結局、上記発明では、緩衝機能を付与して支持機能を増大できる程度にまで、圧縮成形体内への骨誘導が生起されることは困難である。
そのため、咬合時、咀嚼時に生じる垂直的咬合力（噛み砕く際に生じる咬合力）、水平的咬合力（すりつぶす際に生じる咬合力）に対する応力分散機能や、インプラントの支持機能を十分に得るには至らない。
【０００８】
本願発明では、上記問題点に照らし、インプラントの埋入時からインプラント周囲の海綿骨と結合して歯槽骨内に保持され、十分な緩衝機能と、垂直的咬合力及び水平的咬合力に対する応力分散機能を発揮するインプラントを提供することを課題とする。
【課題を解決するための手段】
【０００９】
本発明に係る歯科用インプラントは、
インプラントの側周面近傍を鉛直方向に貫通する挿通孔と、
挿通孔からインプラントの側面まで貫通する延出孔と、
が形成されており、
挿通孔には、ワイヤーの幹線が挿通され、
延出孔からは、ワイヤーの幹線から分岐する枝線が延出していることで、
歯槽骨に埋入した際、
枝線がインプラント周囲の海綿骨を穿通し、
海綿骨に保持される
ことを特徴とする。
【００１０】
本発明は、歯槽骨に埋入した際、歯根膜と同様の機能を果たすワイヤーを、挿通孔と延出孔に挿通した歯科用インプラントである。
本発明に係る歯科用インプラントは、フィクスチャーに、人工歯冠を被せる際の土台となるアバットメントをネジ止めする構造の、いわゆるツーピースのインプラントでも、フィクスチャーとアバットメントとが一体になった、いわゆるワンピースのインプラントでも、どちらでも使用できる。
【００１１】
ツーピースのインプラントの場合、本発明に係る歯科用インプラントとは、フィクスチャーのことである。
挿通孔は、フィクスチャーの側周面近傍に、フィクスチャーの上面部分から鉛直下方に貫通する孔として形成される。
挿通孔は、フィクスチャーの底を突き抜けてフィクスチャーの外に貫通するように形成することも、フィクスチャーの底を突き抜けずフィクスチャーの底付近までを貫通するように形成することもできる。
【００１２】
ワンピースのインプラントの場合、インプラントそれ自体が、本発明に係る歯科用インプラントのことである。
挿通孔は、アバットメントに相当する部分のインプラントの側周面近傍に、インプラントの側周面から鉛直下方に貫通する孔として形成される。
挿通孔は、インプラントの底を突き抜けてインプラントの外に貫通するように形成することも、インプラントの底を突き抜けずインプラントの底付近までを貫通するように形成することもできる。
【００１３】
ツーピースでもワンピースでも、挿通孔は、１以上形成される。
延出孔は、挿通孔に沿って、挿通孔からインプラントの側面まで貫通する孔として形成される。
延出孔は、１の挿通孔に対して、１以上形成される。
【００１４】
挿通孔、延出孔が形成される本発明に係る歯科用インプラントは、インプラント自体の長さ、太さ、形状、形態に依存しない。
インプラントには、種々の長さ、太さ、形状、形態のものがあるが、本発明に係る歯科用インプラントは、挿通孔、延出孔を形成できればよく、どのような長さ、太さ、形状、形態のインプラントであっても使用できる。
また、インプラント側面に形成される、例えば、ネジ山やネジ溝、表面加工された凹凸などにも依存せず、ネジ山が形成されていても、凹凸の表面加工がされていても、使用できる。
さらに、インプラント表面に対してなされることがある、ハイドロキシアパタイトをコーティングするなどの表面処理にも依存せず、どのような表面加工がなされていても使用できる。
【００１５】
挿通孔及び延出孔には、ワイヤーが配される。
ワイヤーは、弾性力があるチタン製やカーボン製のものを使用できる。
ワイヤーは、幹線と、幹線から分岐する１以上の枝線とからなる。
幹線は、挿通孔に挿通されており、１の挿通孔に対して１以上挿通される。
枝線は、挿通孔からインプラントの側面まで貫通する延出孔を通じて、インプラントの外側へ延出するように配される。
枝線は、１の分岐箇所から１以上の枝線が分岐し、１の延出孔に対して１以上延出する。
枝線は、直線状、フック状、波状に形成することができ、延出孔からインプラントの外側に向かって、直線的に延出したり、フック状に延出したり、波打った形状で延出させることができる。
なお、フック状の形状は、山と谷のいずれか一方のみを有する形状であり、波状の形状は、山と谷が少なくとも１ずつ、交互に連続した形状を意味する。
枝線は、１のワイヤーから分岐する全ての枝線を同じ形状にすることもできるし、枝線ごとに異なる形状にすることもでき、枝線ごとに異なる形状にする場合、枝線ごとに異なる方向に指向した状態で延出させることができる。
このように、枝線は、前記した弾性素材を使用することで、それ自体、弾性力を有し、フック状や波状に形成することで、可撓性を有する。
そのため、枝線を海綿骨に穿通させることで、枝線が歯根膜と同様の緩衝部材として機能する。
【００１６】
挿通孔に挿通されている幹線は、インプラントに固定される。
例えば、挿通孔から飛び出ているワイヤーの上端部分は、ｒ分牽引後、余剰部分を切除したのち、挿通孔にセメントを埋めるなどしてワイヤーをインプラントに固定できるが、どのような方法でインプラントに固定しても良い。
また、挿通孔がインプラントの底を突き抜けて形成されている場合、幹線は、インプラントの底を突き抜けるように挿通することもできる。
【００１７】
枝線は、延出孔から延出しているため、インプラントを歯槽骨に埋入した際、インプラント周囲の海綿骨を穿通する。
枝線がインプラント周囲の海綿骨を穿通することで、本発明に係るインプラントは、歯槽骨に埋入した時点から歯槽骨内に保持される。
そのため、インプラント埋入時は、インプラント表面で骨と結合するのではなく、インプラント周囲の海綿骨を穿通することで保持される。
その結果、枝線が歯根膜と同様の緩衝部材として機能し、周方向の回転に対する抗力を得られるほか、垂直的咬合力及び水平的咬合力に対する応力分散機能を果たす。
なお、挿通孔がインプラントの底を突き抜けて形成されている場合、幹線をインプラントの底から突出させ、海綿骨に穿通させることもできる。
また、枝線が、枝線ごとに異なる形状に形成されている場合、それぞれの枝線が異なる方向に指向した状態で延出する。
そのため、インプラント周囲の海綿骨に対し、様々な方向に指向した状態で海綿骨を穿通する。
これにより、直線的な枝線に比べて、インプラント周囲の海綿骨を様々な方向から穿通し、海綿骨と複雑に結合して一体化する。
なお、海綿骨を穿通した枝線は、最終的には、それぞれが海綿骨を穿通した状態で海綿骨と癒合するため、本発明に係るインプラントは、表面で結合するに過ぎなかった従来のインプラントに比べて、より強固に、より複雑に、海綿骨と結合する。
さらに、本発明に係るインプラントによれば、インプラントを埋入した時点から、歯槽骨内で保持され、十分な支持機能、緩衝機能を発揮する。
【００１８】
このような枝線は、ツーピースのインプラントに対して、特に次の効果を発揮する。
ツーピースのインプラントの場合、埋入したインプラントが骨と結合したのちに、アバットメントをインプラントに装着する作業を行う。
しかし、実際は、埋入したインプラントが骨と結合しているかを正確に確認することはできず、仮に結合していたとしても、骨はインプラント表面でのみ勘合しているに過ぎないため、アバットメントの装着時に、インプラントを傾けたり回転させてしまうと、たちまち骨との結合が外れてしまう。
しかし、枝線が延出した本発明に係るインプラントを用いれば、枝線が海綿骨を穿通して癒合し、インプラント表面だけでなく、枝線ごとに海綿骨と結合する。
また、枝線が歯根膜と同様の緩衝部材として機能するため、アバットメントの装着時にインプラントが傾いたり回転しても、応力を分散して骨との結合が外れにくい。
さらに、骨と結合する時間も、表面でのみ結合する従来のインプラントに比べて、枝線のそれぞれが海綿骨を穿通した状態で海綿骨と癒合するため、より早く骨と結合し、術後の経過も良好である。
【００１９】
また、枝線は、ワンピースのインプラントに対しても、特に次の効果を発揮する。
インプラントの治療が必要な患者の多くは、歯周病や、歯根が破折・欠損した状態を長く放置していたなどの事情で、骨吸収を起こしているため、埋入したインプラントを確実に保持できるほど歯槽骨が十分な骨密度を有していないことが多い。
この場合、インプラントを埋入しても、歯槽骨がインプラントを保持できず、埋入したインプラントが安定しない。
また、僅かな外力が加わるだけで、インプラントの離脱や傾きなどが発生してしまう。
しかし、枝線が延出した本発明に係るインプラントを用いれば、枝線が海綿骨を穿通した状態で海綿骨と癒合し、インプラント表面だけでなく、枝線ごとに海綿骨と結合する。
このように複数の枝線がインプラント周囲の海綿骨と結合し、複雑な保持形態を呈するため、インプラントを埋入した時点から、枝線が歯根膜と同様の緩衝部材として機能し、インプラントを埋入する手術中に、インプラントに外力を加えてインプラントが傾いたり回転しても、応力を分散して歯槽骨に保持された状態を維持できる。
そのため、十分な骨密度を有しない歯槽骨に対しても、インプラントを埋入することができる。
さらに、骨と結合する時間も、表面でのみ結合する従来のインプラントに比べて、枝線のそれぞれが海綿骨を穿通した状態で海綿骨と癒合するため、より早く骨と結合し、術後の経過も良好である。
【００２０】
本発明に係る歯科用インプラントは、
インプラントの側周面近傍を鉛直方向に貫通する挿通孔と、
挿通孔からインプラントの側面まで貫通する延出孔と、
が形成されており、
挿通孔には、ワイヤーの幹線が挿通され、
延出孔からは、ワイヤーの幹線から分岐する波状の枝線が延出していることで、
歯槽骨に埋入した際、
波状の枝線がインプラント周囲の海綿骨を穿通し、
海綿骨に保持される
ことを特徴とする。
【００２１】
本発明は、前記の発明において、枝線の形状を、波状に限定したものである。
波状の形状とは、山と谷が少なくとも１ずつ、交互に連続した形状を意味する。
枝線の形状が、波状に限定される点以外は、前記発明と同様である。
以下の発明においても、既出の発明と異なる点のみ説明する。
【００２２】
本発明に係る歯科用インプラントは、
インプラントの側周面近傍を鉛直方向に貫通する挿通孔と、
挿通孔からインプラントの側面まで貫通する延出孔と、
延出孔を覆う形状の、挿通孔に沿って上方が開口したフードと、
が形成されており、
挿通孔には、ワイヤーの幹線が挿通され、
延出孔からは、ワイヤーの幹線から分岐する枝線が延出し、
延出した枝線がフードに覆われていることで、
歯槽骨に埋入したのち、ワイヤーの幹線を上方に引き上げることで、
枝線がフードの開口部分から突出してインプラント周囲の海綿骨を穿通し、
海綿骨に保持される
ことを特徴とする。
【００２３】
本発明は、前記の、枝線の形状が波状に限定されない発明に対して、延出孔を覆い、挿通孔に沿って上方が開口したフードが形成された構成を付加したものである。
フードは、延出孔から延出するワイヤーの枝線を含めて、延出孔を覆い、挿通孔に沿って上方のみ開口した形状に形成される。
そのため、本発明に係るインプラントは、歯槽骨に埋入する時点では、延出孔から延出するワイヤーの枝線がフードに隠れている。
そこで、インプラントを歯槽骨に埋入した後、ワイヤーの幹線を挿通孔に沿って上方に引き上げる。
これにより、ワイヤーの枝線がフードから突出し、海綿骨を穿通する。
このような使用方法を採ることで、インプラントの埋入後に、枝線を海綿骨に穿通させて、インプラントを確実に歯槽骨内に保持させることができる。
なお、フードを有しない前記の発明は、ワイヤーの幹線を上方に引き上げることはせず、単にインプラントを歯槽骨内に埋入することによって、インプラント周囲の海綿骨に穿通させるものである。
【００２４】
フードは、延出孔ごとに形成される。
フードは、インプラント未使用時はワイヤーの枝線を収容する役目を果たし、枝線がフード内に収容された状態のまま、インプラントを歯槽骨内に埋入する。
フード部分は、インプラントの側周面から盛り上がった形状に形成されているため、フード部分の高さはできるだけ小さい方が望ましい。
仮にフード部分が高いと、インプラントの埋入時に、フード部分がインプラント周囲の歯槽骨、特に海綿骨にひっかかってスムーズに埋入できないだけでなく、インプラント周囲の海綿骨を破壊してしまう。
そこで、フードの下方部分は、緩やかに傾斜した形状にすることが望ましい。
これにより、インプラントの埋入時に、フードが歯槽骨、特に海綿骨にひっかかったり、海綿骨を破壊することがない。
さらに、フードの下方部分が傾斜した形状であれば、ワイヤーの幹線を上方に引き上げて枝線を突出させる際、枝線が、上方に位置するフードの傾斜面に当たり、枝線の先端がより外に向かって突出するようになる。
また、例えば、フードの傾斜面に凹凸を設けて、傾斜面に当たった枝線を、それぞれ異なる方向に指向させることもできる。
この場合、枝線は、それぞれ異なる方向を向いて突出し、海綿骨を穿通するため、様々な方向で海綿骨と結合し、インプラント埋入時から歯槽骨内で十分に保持される。
また、様々な方向の海綿骨を穿通するため、様々な方向に対する抗力を有し、より優れた緩衝部材として機能する。
【００２５】
本発明に係る歯科用インプラントは、
インプラントの側周面近傍を鉛直方向に貫通する挿通孔と、
挿通孔からインプラントの側面まで貫通する延出孔と、
延出孔を覆う形状の、挿通孔に沿って上方が開口したフードと、
が形成されており、
挿通孔には、ワイヤーの幹線が挿通され、
延出孔からは、ワイヤーの幹線から分岐する波状の枝線が延出し、
延出した波状の枝線がフードに覆われていることで、
歯槽骨に埋入したのち、ワイヤーの幹線を上方に引き上げることで、
波状の枝線がフードの開口部分から突出してインプラント周囲の海綿骨を穿通し、
海綿骨に保持される
ことを特徴とする。
【００２６】
本発明は、前記の、枝線の形状を波状に限定した発明に対して、延出孔を覆い、挿通孔に沿って上方が開口したフードが形成された構成を付加したものである。
【００２７】
本発明に係る歯科用インプラントは、
前記の挿通孔が、
インプラントの側周面近傍を螺旋状に貫通する挿通孔である
ことを特徴とする。
【００２８】
本発明は、前記の各発明における、鉛直方向に貫通する挿通孔が、螺旋状に貫通する挿通孔に置き換えられたものである。
枝線を延出させる延出孔の位置は、幹線が挿通する挿通孔に沿った位置に限られてしまうため、全方位に枝線を延出させるには、鉛直方向に貫通する挿通孔を有する前記各発明では、挿通孔を増やさなければならない。
そこで、本発明では、挿通孔を螺旋状に貫通させることで、全方位に枝線を延出させることができるようにしたものである。
全方位に枝線が延出されることで、インプラント周囲の多くの海綿骨に枝線を穿通させることができ、あらゆる方向で海綿骨との結合を得られる。
【００２９】
本発明に係る歯科用インプラントは、
インプラントの側周面に溝が鉛直方向に形成され、
溝に沿って、枝線が分岐したワイヤーの幹線が配されており、
幹線から分岐した枝線が溝から延出していることで、
歯槽骨に埋入した際、
枝線がインプラント周囲の海綿骨を穿通し、
海綿骨に保持される
ことを特徴とする。
【００３０】
本発明は、前記の、フードが形成されておらず、枝線の形状が波状に限定されていない、挿通孔が形成された発明において、鉛直方向に貫通する挿通孔が、鉛直方向の溝に置き換えられたものである。
溝は、インプラントの側周面に鉛直方向に直線に形成される。
ワイヤーの幹線は、１の溝に沿って１以上配される。
溝からは、ワイヤーの幹線から分岐する１以上の枝線が延出する。
枝線は、インプラントの埋入時に、インプラント周囲の海綿骨を穿通する。
インプラント内に挿通孔が形成されるのではなく、溝がインプラント側面に形成されるだけであるので、極めて簡単に製造でき、延出孔を形成する手間が不要で、また、複数の枝線を任意の位置に延出させることができる。
溝から直接枝線が延出しているため、より確実に海綿骨を穿通して結合する。
また、溝は、その面積分だけインプラントの表面積が増えるため、結合面積が増大し、より結合力が増大する。
【００３１】
本発明に係る歯科用インプラントは、
インプラントの側周面に溝が鉛直方向に形成され、
溝に沿って、波状の枝線が分岐したワイヤーの幹線が配されており、
幹線から分岐した波状の枝線が溝から延出していることで、
歯槽骨に埋入した際、
波状の枝線がインプラント周囲の海綿骨を穿通し、
海綿骨に保持される
ことを特徴とする。
【００３２】
本発明は、前記の、幹線を配する溝が形成された発明において、枝線の形状を波状に限定したものである。
波状の形状とは、山と谷が少なくとも１ずつ、交互に連続した形状を意味する。
【００３３】
本発明に係る歯科用インプラントは、
インプラントの側周面に溝が鉛直方向に形成され、、
溝に沿って、枝線が分岐したワイヤーの幹線が配され、
溝に沿って、溝から延出する枝線を覆う形状の、溝に沿って上方が開口したフードが設けられており、
溝から延出する枝線がフードに覆われていることで、
歯槽骨に埋入したのち、ワイヤーを上方に引き上げることで、
枝線がフードの開口部分から突出してインプラント周囲の海綿骨を穿通し、
海綿骨に保持される
ことを特徴とする。
【００３４】
本発明は、前記の、枝線の形状が波状に限定されていない、幹線を配する溝が形成された発明に対して、溝に配された幹線から分岐する枝線を覆い、溝に沿って上方が開口したフードが形成された構成を付加したものである。
フードは、溝に沿って、ワイヤーの幹線から分岐する枝線が延出する箇所に形成され、枝線を覆い、溝に沿って上方が開口した形状をなしている。
枝線がフードに覆われているため、インプラントを歯槽骨に埋入する時点では、ワイヤーの枝線がフードに隠れている。
そこで、インプラントを歯槽骨に埋入した後、ワイヤーの幹線を上方に引き上げる。
これにより、ワイヤーの枝線が、フードから突出して海綿骨を穿通する。
このような使用方法を採ることで、インプラントの埋入後に、枝線を海綿骨に穿通させて、インプラントを確実に歯槽骨内に保持させることができる。
その他のフードに関する説明は、前記の挿通孔とフードを有する発明と同様である。
前記の挿通孔とフードを有する発明と比べて、インプラントの側面に溝を形成するだけであるので、極めて簡単に製造でき、延出孔を形成する手間を考慮せず、複数の枝線を延出させることができる。
また、溝から直接枝線が延出しているため、より多くの海綿骨と結合でき、溝の面積分だけ表面積が増え、骨が溝の中に入り込み、より複雑な結合形態を呈する。
これ以外の説明は、前記発明と同様である。
【００３５】
本発明に係る歯科用インプラントは、
インプラントの側周囲に溝が鉛直方向に形成され、
溝に沿って、波状の枝線が分岐したワイヤーの幹線が配され、
溝に沿って、溝から延出する枝線を覆う形状の、溝に沿って上方が開口したフードが設けられており、
溝から延出する波状の枝線がフードに覆われていることで、
歯槽骨に埋入したのち、ワイヤーを上方に引き上げることで、
波状の枝線がフードの開口部分から突出してインプラント周囲の海綿骨を穿通し、
海綿骨に保持される
ことを特徴とする。
【００３６】
本発明は、前記の、波状の限定を付した、幹線を配する溝が形成された発明に対して、延出孔を覆い、溝に沿って上方が開口したフードが形成された構成を付加したものである。
フードやその他の説明は、前記発明と同様である。
【００３７】
本発明に係る歯科用インプラントは、
前記の溝が、
インプラントの側周面に溝が螺旋状に形成された溝である
ことを特徴とする。
【００３８】
本発明は、前記の、幹線を配する溝が形成された各発明における、鉛直方向に形成された溝が、螺旋状に形成された溝に置き換えられたものである。
枝線が延出される位置は、幹線が配される溝に沿った位置に限られてしまうため、全方位に枝線を延出させるには、鉛直方向の溝を有する前記各発明では、溝の数を増やさなければならない。
そこで、本発明では、螺旋状の溝を形成することで、全方位に枝線を延出させることができるようにしたものである。
全方位に枝線が延出されることで、インプラント周囲の多くの海綿骨に枝線を穿通させることができ、あらゆる方向で海綿骨との結合を得られる。
【００３９】
本発明に係る歯科用インプラントは、
ワイヤーの幹線から分岐する枝線は、先端が球状に形成されている
ことを特徴とする。
【００４０】
本発明は、前記各発明における枝線の先端が、球状に形成されていることを特徴とする。
枝線の先端が球状に形成されていることで、枝線が海綿骨を穿通するとともに、先端の球状部分が海綿骨の隙間に嵌合し、より複雑な結合形態を呈し、より強固に歯槽骨内で保持される。
また、先端が球状であるため、三次元的に全ての方向に同じアンダーカット量を得られる。
さらに、先端が球状に形成されているため、骨との接点になる表面積が多いほか、骨との癒着が早く、治癒が促進される。
【発明の効果】
【００４１】
本発明に係る歯科用インプラントは、以下の効果を奏する。
１）インプラントの埋入時から、枝線がインプラント周囲の海綿骨と多様な結合形態を呈することで、十分な緩衝機能を発揮し、垂直的咬合力及び水平的咬合力に対する応力分散機能や支持機能をも得られる。
２）枝線が波状に形成されていることで、直線方向だけでなく、様々な方向に指向した状態で海綿骨を穿通し、多様な結合形態を呈し、埋入時からインプラントが歯槽骨内に保持される。
３）枝線が海綿骨を穿通した状態でインプラントが歯槽骨内で保持され、最終的に枝線は海綿骨内で癒合するため、表面でのみ結合する従来のインプラントに比べて、極めて早く、強固に歯槽骨と結合する。
４）十分な骨密度を有しない歯槽骨でも、埋入したインプラントの枝線が海綿骨を穿通して歯槽骨内に保持されるので、従来のインプラントでは施術が困難であった患者にも、インプラント治療を施術できる。
５）ワンピースかツーピースかの区別なく、また、インプラントの長さ、太さ、形状、形態など依存せず、あらゆるインプラントを使用できる。
６）ワイヤーの幹線を引き上げて枝線をインプラント周囲に延出させる使用方法を採ることで、簡便な構成、施術方法で、枝線を確実に海綿骨に穿通させることができ、インプラントを歯槽骨内に保持することができる。
７）枝線が全方位的に延出されるように挿通孔または溝が形成されることで、よりインプラント周囲の多くの海綿骨に穿通させることができ、海綿骨がインプラントを包囲するように、インプラントが海綿骨と結合し、歯根膜と同様の緩衝機能を得られる。
８）ワイヤーがインプラント周囲の海綿骨を穿通し、歯槽骨内で固定されるため、歯牙にかかる、鉛直上方に向かう牽引力への抗力、鉛直下方に向かって沈降する力への抗力、水平方向または回転方向にかかる力への抗力を得ることができる。
９）先端が球状に形成された枝線が、三次元的に全ての方向に同じアンダーカット量を得られ、骨との接点になる表面積が多いほか、骨との癒着が早く、治癒が促進される。
【図面の簡単な説明】
【００４２】
【図１】鉛直方向に貫通する挿通孔と延出孔とが形成されたインプラントの上方斜視図
【図２】螺旋状に貫通する挿通孔と延出孔とが形成されたインプラントの上方斜視図
【図３】鉛直方向に貫通する挿通孔と延出孔とが形成されたワンピースのインプラントの上方斜視図
【図４】ネジ山が形成されたインプラントの上方斜視図
【図５】幹線から枝線が分岐したワイヤーの側面図
【図６】図５のワイヤーが、挿通孔及び延出孔が形成されたインプラントに挿通されている状態を表す部分断面図
【図７】フードが形成された、挿通孔と延出孔を有するインプラントの上方斜視図
【図８】フードが形成されたインプラントにワイヤーが挿通されている状態を表す部分断面図
【図９】鉛直方向の溝が形成されたインプラントの上方斜視図
【図１０】螺旋状の溝が形成されたインプラントの上方斜視図
【図１１】鉛直方向の溝が形成されたワンピースのインプラントの上方斜視図
【図１２】図５のワイヤーが、溝が形成されたインプラントに配されている状態を表す部分断面図
【図１３】フードが形成された、溝を有するインプラントの上方斜視図
【図１４】フードが形成されたインプラントにワイヤーが配されている状態を表す部分断面図
【発明を実施するための形態】
【００４３】
図１及び２は、挿通孔と延出孔とが形成されたツーピースのインプラントの外観を表した図であり、図１は、直線状に貫通する挿通孔が、図２は、螺旋状に貫通する挿通孔が、それぞれ形成されている一実施例を表している。
いずれも、挿通孔１は、インプラントであるフィクスチャーの上面から底を貫通するように、側周面近傍に形成される。
また、延出孔２は、挿通孔１に沿って、挿通孔１からインプラントの外まで貫通するように形成される。
挿通孔１には、ワイヤーの幹線が挿通され、延出孔２には、幹線からは分岐する枝線が延出される。
挿通孔１は、１以上形成されていれば良く、挿通孔１を増やすことで、ワイヤーの枝線を延出させる場所を増やすことができる。
延出孔２は、１の挿通孔１に対して、１以上形成されていれば良く、延出孔２を増やすことで、インプラントから延出するワイヤーの枝線の数を増やすことができる。
【００４４】
本発明に係る歯科用インプラントは、フィクスチャーとしてのインプラントに、人工歯冠を被せる際の土台となるアバットメントをネジ止めする構造の、いわゆるツーピースのインプラントだけでなく、フィクスチャーとしてのインプラントとアバットメントとが一体になった、いわゆるワンピースのインプラントにも使用できる。
図３は、ワンピースのインプラントに、挿通孔１と延出孔２とが形成された一実施例を表す図である。
ワンピースのインプラントの場合、インプラント自体が、本発明に係る歯科用インプラントである。
挿通孔１は、アバットメントに相当する部分のインプラントの側周面近傍に、インプラントの側周面から鉛直下方に向かって貫通する孔として形成される。
挿通孔１は、インプラントの底を突き抜けてインプラントの外に貫通するように形成することも、インプラントの底を突き抜けない孔を形成することもできる。
挿通孔１は、図３のように側周面から貫通されるように孔が開口されるよにしても良いし、図示しないが、インプラントの上面に孔が開口されるようにしても良い。
但し、インプラントの上面から挿通孔を形成する場合、延出孔は、歯槽骨内に埋入される範囲にのみ形成する。
なお、ワンピースのインプラントも、ツーピースのインプラントと同様、螺旋状に貫通する挿通孔１を形成できる。
【００４５】
本発明に係る歯科用インプラントは、インプラント自体の長さ、太さ、形状、形態に依存しない。
インプラントには、種々の長さ、太さ、形状、形態のものがあるが、本発明に係る歯科用インプラントは、挿通孔１、延出孔２を形成できればよく、どのような長さ、太さ、形状、形態のインプラントであっても使用できる。
また、図４に、ネジ山が形成されたインプラントの一実施例を表すとおり、本発明に係るインプラントは、インプラント側面に形成される、ネジ山やネジ溝、表面加工された凹凸などに依存せず、ネジ山が形成されていても、凹凸の表面加工がされていても、使用できる。
さらに、本発明に係るインプラントは、インプラント表面に対してなされることがある、ハイドロキシアパタイトをコーティングするなどの表面処理にも依存せず、どのような表面加工がなされていても使用できる。
【００４６】
図５は、ワイヤーの幹線から枝線が分岐している一実施例を表す図である。
１のワイヤーは、１の幹線３と、１の幹線３から分岐する１以上の枝線４とからなる。
ワイヤーは、弾性力があるチタン製やカーボン製のものを使用することができる。
枝線４は、波状に形成されており、全ての枝線４が同じ形状に形成されていてもよいし、図５のように、枝線４ごとに、異なる形状に形成されていても良い。
それぞれ異なる形状に形成されている場合は、それぞれの枝線４が異なる方向に指向して海綿骨を穿通するため、あらゆる方向から海綿骨に保持される。
また、枝線４は、波状に形成されていることで、直線的な形状の枝線に比べて、インプラント周囲の海綿骨を複雑に穿通する。
枝線４は、前記した弾性素材を使用することで、枝線４それ自体が弾性力を有し、フック状や波状に形成することで、可撓性を有する。
そのため、海綿骨を穿通した枝線４が、インプラント周囲の歯槽骨との間で歯根膜に近い緩衝部材として機能し、垂直的咬合力及び水平的咬合力に対する応力分散機能を果たす。
したがって、本発明に係るインプラントは、インプラントを埋入した時点から歯槽骨内で保持され、十分な支持機能を得られるだけでなく、歯根膜と同様の緩衝機能を発揮し、周方向の回転に対する抗力も得られる。
【００４７】
また、枝線４の先端は、球状に形成することもできる。
球状に形成されていることで、海綿骨を穿通するとともに、海綿骨の隙間に嵌合し、より強固に歯槽骨内で保持される。
また、先端が球状であるため、三次元的に全ての方向に同じアンダーカット量を得られ、骨との接点になる表面積が多いほか、骨との癒着が早く、治癒が促進される。
【００４８】
図６は、図５のワイヤーがインプラントに挿通されている一実施例を表す部分断面図である。
ワイヤーの幹線３は、挿通孔１に挿通され、１の挿通孔１に複数の幹線３を挿通することもできる。
ワイヤーの枝線４は、幹線３から分岐しており、それぞれが延出孔２からインプラントの外側に向かって延出する。
枝線４は、幹線３の１の分岐箇所から、複数分岐できる。
複数の枝線４が分岐されている場合、１の延出孔２から１以上の枝線４を延出させることもできる。
枝線４は波状に形成されており、直線的に延出する場合に比べて可撓性を有する。
枝線４が、枝線４ごとに異なる形状に形成されているワイヤーを挿通するときは、枝線４ごとに異なる方向に指向した状態で延出させることができる。
そのため、インプラント周囲に存在する海綿骨に対し、様々な方向に指向した状態で、枝線４ごとに複雑に海綿骨を穿通し、単にインプラントの表面で骨と結合するのではなく、インプラント周囲の海綿骨との間で多様な結合形態を呈する。
その結果、枝線４が歯根膜と同様の緩衝部材として機能し、本発明に係るインプラントは、インプラント周囲の歯槽骨との間で、歯根膜に近い緩衝機能を得られ、垂直的咬合力及び水平的咬合力に対する応力分散機能を果たす。
つまり、インプラントを埋入した時点から歯槽骨内で保持され、十分な支持機能を得られるだけでなく、歯根膜と同様の緩衝機能を果たし、周方向の回転に対する抗力も得られる。
【００４９】
海綿骨を穿通した枝線４は、最終的には、それぞれが海綿骨と穿通した状態で癒合するため、表面で結合するに過ぎなかった従来のインプラントに比して、より強固に歯槽骨と結合した状態になる。
挿通孔１に挿通されている幹線３は、インプラントに固定される。
例えば、挿通孔１から飛び出ている上端部分は、ｒ分牽引後、余剰部分を切除したのち、挿通孔１にセメントを埋めるなどして、ワイヤーをインプラントに固定できるが、どのような方法で固定しても良い。
【００５０】
図７は、フードが形成されたインプラントの一実施例を表す図である。
フード５は、挿通孔１に沿って上方が開口しており、延出孔２ごとに、延出孔２を覆う位置に形成される。
フード５は、延出孔２から延出するワイヤーの枝線４を含めて、延出孔２を覆う。
フード５の開口部分は、インプラントの埋入後にワイヤーを引き上げて、枝線４をフード５から突出させるために形成されているものである。
そのため、フード５の開口方向は、ワイヤーを引き上げたときに幹線３が移動する方向と一致する。
したがって、挿通孔１が螺旋状に形成されているインプラントでは、フード５の開口方向は、挿通孔１に沿ってやや傾いた方向になる。
【００５１】
フード５は、インプラント未使用時はワイヤーの枝線４を収容する役目を果たし、枝線４をフード５内に収容したまま歯槽骨内に埋入される。
フード５は、インプラントの側周面から盛り上がった形状に形成されているため、フード５の高さはできるだけ小さい方が望ましい。
仮にフード５が高いと、インプラントの埋入時に、フード５がインプラント周囲の歯槽骨、特に海綿骨にひっかかってスムーズに埋入できないだけでなく、インプラント周囲の海綿骨を破壊してしまう。
また、フード５の下方部分は、緩やかに傾斜した形状にすることが望ましい。
これにより、インプラントの埋入時に、フード５が歯槽骨、特に海綿骨にひっかかったり、海綿骨を破壊することがない。
さらに、フード５の下方部分を傾斜した形状にすることで、ワイヤーの幹線３を上方に引き上げて枝線４を突出させる際、枝線４が、上方に位置する別のフード５の傾斜面に当たり、枝線４の先端をより外に向かって突出させることができる。
フード５の下方部分は、例えば、フード５の傾斜面に凹凸を設けて、傾斜面に当たった枝線４を、それぞれ異なる方向に指向させることもできる。
この場合、枝線４は、それぞれ異なる方向を向いて突出し、海綿骨を穿通するため、様々な方向で海綿骨と結合し、インプラント埋入時から歯槽骨内で十分に保持される。
フード５の傾斜、形状を変えることで、枝線４を様々な方向の海綿骨に穿通させることができる結果、枝線４は、様々な方向に対して抗力を有する優れた緩衝部材として機能する。
【００５２】
図８は、フードが形成されたインプラントにワイヤーが挿通されている一実施例を表す部分断面図であり、（ａ）は、インプラント未使用時の、ワイヤーの枝線がフードに収容されている状態を表す図、（ｂ）は、ワイヤーを引き上げることで、枝線がフードから突出した状態を表す図である。
ワイヤーの枝線４は、インプラント未使用時はフード５に収容された状態であり、インプラントを歯槽骨に埋入する時もフード５内に収容された状態である。
つまり、インプラントは、ワイヤーの枝線４がフード５に収容されたまま、歯槽骨に埋入される。
インプラントを歯槽骨に埋入した後は、ワイヤーの幹線３を上方に引き上げて、ワイヤーの枝線４をフード５から突出させる。
これにより、枝線４がインプラント外に突出し、インプラント周囲の海綿骨を穿通する。
この使用方法を採ることで、インプラントの埋入後に、枝線４を海綿骨に穿通させて、インプラントを確実に海綿骨内に保持させることができる。
また、フード５は、下方部分を傾斜した形状にすることもできる。
この場合、ワイヤーの幹線３を上方に引き上げて枝線４を突出させるとき、枝線４が収容されていたフード５の上方に位置する別のフード５の傾斜部分に当たる。
そして、傾斜部分に当たった枝線４の先端は、インプラントのより外側を向いて突出し、海綿骨を確実に穿通する。
また、フード５の傾斜部分に凹凸を設けることもできる。
この場合、枝線４が突出する方向は、凹凸の形状によって複雑に変化させられる。
そして、複雑に変化した方向にそれぞれの枝線４が突出することで、海綿骨と複雑な向きに穿通する。
そのため、インプラントの埋入時から、様々な方向で海綿骨と結合し、枝線４が優れた緩衝機能を発揮する。
【００５３】
幹線３と枝線４からなるワイヤーは、インプラントを貫通する挿通孔１と延出孔２に挿通されるのではなく、インプラントの側周部に形成された溝に配することもできる。
図９及び１０は、側周面に溝が形成されたインプラントの外観を表した図であり、図９は直線状の溝が、図１０は螺旋状の溝が、それぞれ形成されている一実施例を表している。
溝６は、インプラントの側周面に、直線状または螺旋状に形成される。
ワイヤーの幹線３は、１の溝６に沿って１以上配される。
溝６からは、ワイヤーの幹線３から分岐する１以上の枝線４が延出する。
【００５４】
溝６にワイヤーの幹線３が配され、溝６から枝線４が延出している一実施例を図１１に表す。
溝６が形成されたインプラントは、溝６にワイヤーを配した状態で、歯槽骨内に埋入される。
枝線４は、インプラントの埋入時に、インプラント周囲の海綿骨を穿通する。
溝６が形成されたインプラントは、インプラント内に挿通孔１が形成されるのではなく、側周面に溝６が形成されるだけであるので、極めて簡単に製造でき、延出孔２を形成する手間が不要で、また、複数の枝線４を任意の位置に延出させることができる。
枝線４が溝６から直接延出しているため、より確実に海綿骨を穿通して結合する。
また、溝６は、その面積分だけインプラントの表面積が増えるため、結合面積が増大し、より結合力が増大する。
【００５５】
側周面に溝６を形成したインプラントは、フィクスチャーとしてのインプラントに、人工歯冠を被せる際の土台となるアバットメントをネジ止めする構造の、いわゆるツーピースのインプラントだけでなく、フィクスチャーとしてのインプラントとアバットメントとが一体になった、いわゆるワンピースのインプラントにも使用できる。
図１２は、ワンピースのインプラントに、溝が形成された一実施例を表す図である。
溝６は、インプラント側周面の中腹から形成することもできるし、インプラントの上面から形成することもできる。
なお、ワンピースのインプラントも、ツーピースのインプラントと同様、螺旋状の溝を形成できる。
【００５６】
図１３は、側周面に溝が形成されたインプラントに、フードが形成されている一実施例を表す図である。
フード５は、溝６に沿って上方が開口した形状に形成されている。
フード５は、溝６から延出するワイヤーの枝線４を覆う。
フード５の開口部分は、インプラントの埋入後にワイヤーを引き上げて、枝線４をフード５から突出させるために形成されているものである。
そのため、フード５の開口方向は、ワイヤーを引き上げたときに幹線３が移動する方向と一致する。
したがって、溝６が螺旋状に形成されているインプラントでは、フード５の開口方向は、溝６に沿ってやや傾いた方向になる。
【００５７】
フード５は、インプラント未使用時はワイヤーの枝線４を収容する役目を果たし、枝線４をフード５内に収容したまま歯槽骨内に埋入される。
フード５は、インプラントの側周面から盛り上がった形状に形成されているため、フード５の高さはできるだけ小さい方が望ましい。
仮にフード５が高いと、インプラントの埋入時に、フード５がインプラント周囲の歯槽骨、特に海綿骨にひっかかってスムーズに埋入できないだけでなく、インプラント周囲の海綿骨を破壊してしまう。
そこで、フード５の下方部分は、緩やかに傾斜した形状にすることが望ましい。
これにより、インプラントの埋入時に、フード５が歯槽骨、特に海綿骨にひっかかったり、海綿骨を破壊することがない。
さらに、フード５の下方部分が傾斜した形状であれば、ワイヤーの幹線３を上方に引き上げて枝線４を突出させる際、枝線４が、上方に位置する別のフード５の傾斜面に当たり、枝線４の先端がより外に向かって突出するようになる。
また、例えば、フード５の傾斜面に凹凸を設けて、傾斜面に当たった枝線４が、それぞれ異なる方向に指向するようにすることもできる。
この場合、枝線４は、それぞれ異なる方向を向いて突出し、海綿骨を穿通するため、様々な方向で海綿骨と結合し、インプラント埋入時から歯槽骨内で十分に保持される。
また、様々な方向の海綿骨を穿通するため、様々な方向に対する抗力を有し、より優れた緩衝部材として機能する。
【００５８】
図１４は、フードが形成されたインプラントにワイヤーが挿通されている一実施例を表す部分断面図であり、（ａ）は、インプラント未使用時の、ワイヤーの枝線がフードに収容されている状態を表す図、（ｂ）は、ワイヤーを引き上げることで、枝線がフードから突出した状態を表す図である。
ワイヤーの枝線４は、インプラント未使用時はフード５に収容された状態であり、インプラントを歯槽骨に埋入する時もフード５内に収容された状態である。
つまり、インプラントは、ワイヤーの枝線４がフード５に収容されたまま、歯槽骨に埋入される。
インプラントを歯槽骨に埋入した後は、ワイヤーの幹線３を上方に引き上げて、ワイヤーの枝線４をフード５から突出させる。
これにより、枝線４がインプラント外に突出し、インプラント周囲の海綿骨を穿通する。
この使用方法を採ることで、インプラントの埋入後に、枝線４を海綿骨に穿通させて、インプラントを確実に海綿骨内に保持させることができる。
また、フード５は、下方部分を傾斜した形状にすることもできる。
この場合、ワイヤーの幹線３を上方に引き上げて枝線４を突出させるとき、枝線４が収容されていたフード５の上方に位置する別のフード５の傾斜部分に当たる。
そして、傾斜部分に当たった枝線４の先端は、インプラントのより外側を向いて突出し、海綿骨を確実に穿通する。
また、フード５の傾斜部分に凹凸を設けることもできる。
この場合、枝線４が突出する方向は、凹凸の形状によって複雑に変化させられる。
そして、複雑に変化した方向にそれぞれの枝線４が突出することで、海綿骨と複雑な向きに穿通する。
そのため、インプラントの埋入時から、様々な方向で海綿骨と結合し、枝線４が優れた緩衝機能を発揮する。
【００５９】
以上の構成のインプラントを使用することで、インプラントの埋入時から、インプラント周囲の海綿骨と多様な結合形態を呈し、歯槽骨内で十分に保持されるとともに、歯根膜と同様の緩衝機能を発揮し、垂直的咬合力及び水平的咬合力に対する応力分散機能や支持機能をも得られる。
なお、海綿骨を穿通した枝線は、最終的には、それぞれが海綿骨を穿通した状態で海綿骨と癒合するため、本発明に係るインプラントは、表面で結合するに過ぎなかった従来のインプラントに比べて、より強固に、より複雑に、海綿骨と結合する。
【符号の説明】
【００６０】
１  挿通孔
２  延出孔
３  幹線
４  枝線
５  フード
６  溝
【図１】
2015188722.tif 000003
【図２】
2015188722.tif 000004
【図３】
2015188722.tif 000005
【図４】
2015188722.tif 000006
【図５】
2015188722.tif 000007
【図６】
2015188722.tif 000008
【図７】
2015188722.tif 000009
【図８】
2015188722.tif 000010
【図９】
2015188722.tif 000011
【図１０】
2015188722.tif 000012
【図１１】
2015188722.tif 000013
【図１２】
2015188722.tif 000014
【図１３】
2015188722.tif 000015
【図１４】
2015188722.tif 000016